(57)【要約】  以下の構造を含む約１重量％〜約９０重量％の非対称ジヒドロカルビル第四級アンモニウム化合物を含む洗濯処理組成物であり、2011526318.tif 000011  式中、Ｒ１はＣ１２〜Ｃ２２ヒドロカルビル鎖を含み、Ｒ２は分枝状であり得るＣ６〜Ｃ１２ヒドロカルビル鎖を含み、Ｒ１はヒドロカルビル鎖中にＲ２よりも少なくとも２個多く炭素原子を有し、Ｒ３及びＲ４は各々Ｃ１〜Ｃ４ヒドロカルビル、Ｃ１〜Ｃ４ヒドロキシヒドロカルビル、ベンジル、−（Ｃ２Ｈ４Ｏ）ｘＨ（式中、ｘは約１〜約１０の値を有する）及びこれらの混合物からなる群から選択され、Ｘ−はアニオンであり、約１重量％〜９０重量％のアニオン性界面活性剤であり、洗濯処理組成物は、非水溶性凝集塊の最小限の形成もなしに、十分な柔軟化、静電気防止効果を提供する。
2011526318.tif 000002
【特許請求の範囲】
【請求項１】
ａ．１重量％〜９０重量％の、以下の構造を含む非対称ジヒドロカルビル第四級アンモニウム化合物であって、
【化１】
2011526318.tif 000010
式中、Ｒ１はＣ１２〜Ｃ２２ヒドロカルビル鎖を含み、
Ｒ２はＣ６〜Ｃ１２ヒドロカルビル鎖を含み、
Ｒ１は前記ヒドロカルビル鎖中にＲ２よりも少なくとも２個多く炭素原子を有し、
Ｒ３及びＲ４は各々Ｃ１〜Ｃ４ヒドロカルビル、Ｃ１〜Ｃ４ヒドロキシヒドロカルビル、ベンジル、−（Ｃ２Ｈ４Ｏ）ｘＨ（式中、ｘは１〜１０の値を有する）及びこれらの混合物からなる群から選択され、
Ｘ−はアニオンである、非対称ジヒドロカルビル第四級アンモニウム化合物と、
ｂ．１重量％〜９０重量％のアニオン性界面活性剤と、を含む洗濯処理組成物であり、前記非対称ジヒドロカルビル第四級アンモニウム化合物及び前記アニオン性界面活性剤の少なくとも一部がコアセルベートを形成する、洗濯処理組成物。
【請求項２】
前記洗濯処理組成物がアミドイミダゾリニウム化合物を本質的に含まない、請求項１に記載の洗濯処理組成物。
【請求項３】
前記非対称ジヒドロカルビル第四級アンモニウム化合物が水素化タロー２−エチル−ヘキシル−アンモニウム化合物から本質的になる、請求項１又は２に記載の洗濯処理組成物。
【請求項４】
前記非対称ジヒドロカルビル第四級アンモニウム化合物が４〜９のＣｌｏｇＰを有する、請求項１〜３のいずれか一項に記載の洗濯処理組成物。
【請求項５】
２重量％〜３０重量％のシリコーンポリマーを更に含む、請求項１〜４のいずれか一項に記載の洗濯処理組成物。
【請求項６】
０．１重量％〜２０重量％の付着助剤を更に含む、請求項１〜５のいずれか一項に記載の洗濯処理組成物。
【請求項７】
２０：１〜１：５の重量比で前記非対称ジヒドロカルビル第四級アンモニウム化合物と前記アニオン性界面活性剤とを更に含む、請求項１〜６のいずれか一項に記載の洗濯処理組成物。
【請求項８】
前記アニオン性界面活性剤が、Ｃ１１〜Ｃ１８アルキルベンゼンスルホネート界面活性剤、Ｃ１０〜Ｃ２０分枝鎖及びランダムアルキルサルフェート界面活性剤、１〜３０の平均アルコキシル化度を有するＣ１０〜Ｃ１８アルキルアルコキシサルフェート界面活性剤（ここで、前記アルコキシはＣ１〜Ｃ４鎖及びこれらの混合物を含む）、中鎖分枝状アルキルサルフェート界面活性剤、１〜３０の平均アルコキシル化度を有する中鎖分枝状アルキルアルコキシサルフェート界面活性剤（ここで、前記アルコキシはＣ１〜Ｃ４鎖及びこれらの混合物を含む）、１〜５の平均アルコキシル化度を有するＣ１０〜Ｃ１８アルキルアルコキシカルボキシレート、Ｃ１２〜Ｃ２０メチルエステルスルホネート界面活性剤、Ｃ１０〜Ｃ１８α−オレフィンスルホネート界面活性剤、Ｃ６〜Ｃ２０スルホスクシネート界面活性剤、並びに、これらの混合物を含む、請求項１に記載の洗濯処理組成物。
【請求項９】
０．５重量％〜９５重量％の香料を更に含み、前記香料が香油、少なくとも１つの香料マイクロカプセル及びこれらの混合物を含む、請求項１〜８のいずれか一項に記載の洗濯処理組成物。
【請求項１０】
前記組成物が０．０５グラム〜１００グラムの濃度であり、前記組成物が０重量％〜１５重量％の水を含み、水溶性フィルムにより封入される、請求項１〜９のいずれか一項に記載の洗濯処理組成物。
【請求項１１】
前記洗濯処理組成物が、３０重量％〜７０重量％の溶媒であって、ポリエチレングリコール、グリセリン、プロピレングリコール及びこれらの混合物を含む溶媒と、２重量％〜３０重量％のシリコーンポリマーと、０．１重量％〜２０重量％の付着助剤と、香料マイクロカプセルと、を更に含み、前記非対称ジヒドロカルビル第四級アンモニウム化合物が水素化タロー２−エチル−ヘキシル−アンモニウム化合物である、請求項１〜１０のいずれか一項に記載の洗濯処理組成物。
【請求項１２】
ａ．洗浄若しくはすすぎ槽溶液中に０．０５グラム〜１００グラムの請求項１〜１１のいずれか一項に記載の洗濯処理組成物を分配して、処理された洗浄若しくはすすぎ槽溶液を形成することと、
ｂ．前記処理された洗浄若しくはすすぎ槽溶液に布地を接触させることと、
ｃ．所望により、前記形成工程及び／又は前記接触工程でその場でコアセルベートを形成することであって、前記アニオン性界面活性剤の少なくとも一部は、１）前記洗濯処理組成物が前記所望によるアニオン性界面活性剤を含むときには前記洗濯処理組成物から、２）前記洗浄槽溶液若しくは前記布地からのいずれかのアニオン性界面活性剤から、又は３）所望によるすすぎ添加剤生成物により提供されるいずれかのアニオン性界面活性剤から、の少なくとも１つから提供される、その場でコアセルベートを形成することと、を含む、洗浄若しくはすすぎプロセスを通して布地を柔軟化する方法。
【発明の詳細な説明】
【背景技術】
【０００１】
衣類柔軟化の従来方法は、リンス添加布地柔軟化液及びドライヤー付与シートに焦点が当てられている。従来の布地柔軟化化合物には、１２〜１８個の平均炭素鎖長を持つ２つの対称アルキル又はアルケニル鎖を有するカチオン性第四級アンモニウム化合物（カチオン性「ｑｕａｔ」）、例えば、アミドイミダゾリニウム化合物が挙げられる。すすぎプロセス中に柔軟化効果を提供する試みの例は、米国特許第５，９１９，７５１号（Ｂｉｒｄら）、同第５，４９０，９４４号（Ｓｕａｚｏｎら）及び同第４，５６９，８００号（Ｓｔａｎｌｅｙら）に記載されている。
【０００２】
洗浄を通して柔軟化する組成物（以降、「ＳＴＷ」組成物）は、すすぎプロセス又はドライヤープロセスを待つことなく洗浄中に布地を柔軟化する能力を消費者に提供するものとして一般的になっている。従来のカチオン性ｑｕａｔをＳＴＷ組成物中に組み込む試みは、沈殿とも呼ばれる非水溶性凝集塊の望ましくない形成などの問題に遭遇してきている。これらの非水溶性凝集塊は、従来のカチオン性ｑｕａｔと洗剤のアニオン性界面活性剤から形成されるイオン対の結果であり、組成物に混濁と貯蔵中の望ましくない外観（相分離）とを生じさせることが知られている。更に、これらの凝集塊は、洗濯された布地上に残留物を残し、シミを生じる恐れがある。
【０００３】
多区画一回用量パウチは、アニオン性界面活性剤から従来のカチオン性ｑｕａｔを分離するために使用されてきている。パッケージ化製品内での不溶性凝集塊の形成は最小化されるが、この試みは、ｑｕａｔとアニオン性界面活性剤との不相溶性の問題を解決せず、例えば、凝集塊は洗浄槽中で依然として生じることがある。ＳＴＷ目的のために多区画一回用量パウチを使用する試みの例は、米国特許第６，２９１，４２１号（Ａｌａｉｎら）及び同第６，１１０，８８６号（Ｓｃｅｐａｎｓｋｉら）及び米国特許出願公開第２００７／０１０５７３９（Ａ１）号及び同第２００５／００２０４７６（Ａ１）号（共にＷａｈｌら）に言及されている。
【０００４】
これらの成分についての不相溶性問題に対処する最近の試みは、モノアルキルｑｕａｔの使用を伴う。モノアルキルｑｕａｔはアニオン性界面活性剤の存在下で不溶性凝集塊を形成する傾向が低いが、モノアルキルｑｕａｔは比較的高価であり、柔軟化及び静電気防止効果に関して２本のアルキル鎖を有する従来のカチオン性ｑｕａｔよりも劣ると考えられる。米国特許第５，４６６，３９４号（ｄｅ  Ｂｕｚｚａｃｃａｒｉｎｉら）、米国特許出願公開第２００５／０１６４９０５号（Ｃｈａｗｌａら）及び国際公開第２００６／０７２０８３号（Ｌｉｎら）を参照されたい。
【発明の概要】
【発明が解決しようとする課題】
【０００５】
それゆえに、柔軟化、静電気防止及び抗微生物効果が挙げられるがこれらに限定されない望ましい布地コンディショニング効果を提供する、処理される布地上への布地コンディショニング活性物質の効果的付着を提供する改善されたＳＴＷ製剤についての進行中の調査が存在している。
【課題を解決するための手段】
【０００６】
本発明の一態様は、以下の構造を含む約１重量％〜約９０重量％の非対称ジヒドロカルビル第四級アンモニウム化合物を含む洗濯処理組成物に関する。
【化１】
2011526318.tif 000003
式中、Ｒ１はＣ１２〜Ｃ２２ヒドロカルビル鎖を含み、Ｒ２はＣ６〜Ｃ１２ヒドロカルビル鎖を含み、Ｒ１はヒドロカルビル鎖中にＲ２よりも少なくとも２個多く炭素原子を有し、Ｒ３及びＲ４は各々Ｃ１〜Ｃ４ヒドロカルビル、Ｃ１〜Ｃ４ヒドロキシヒドロカルビル、ベンジル、−（Ｃ２Ｈ４Ｏ）ｘＨ（式中、ｘは約１〜約１０の値を有する）及びこれらの混合物からなる群から選択され、Ｘ−はアニオンであり、約１重量％〜９０重量％のアニオン性界面活性剤である。一実施形態では、ヒドロカルビル鎖は、アルキル鎖である。一実施形態では、Ｒ２は、分枝状ヒドロカルビル鎖を含む。
【０００７】
本発明の別の態様は、水溶性フィルムと、約０．０５グラム〜約１００グラムの本発明の少なくとも一実施形態に従う洗濯処理組成物と、を含む洗濯処理物品に関し、この洗濯処理組成物はこの水溶性フィルムにより封入される。
【０００８】
本発明の更に別の態様は、洗浄槽溶液中に約０．０５グラム〜約１００グラムの洗濯処理組成物を分配して、処理された槽溶液を形成することであり、この洗濯処理組成物は本発明の少なくとも１つの実施形態に従い、所望により約１重量％〜約９０重量％のアニオン性界面活性剤組成物を含む、分配することと、処理された槽溶液に布地を接触させることと、を含む洗浄プロセスを通して布地を柔軟化する方法に関する。
【０００９】
本発明の更に別の態様は、すすぎ槽溶液中に約０．０５グラム〜約１００グラムの洗濯処理組成物を分配して、処理された槽溶液を形成することであり、この洗濯処理組成物は本発明の少なくとも１つの実施形態に従い、この洗濯処理組成物は対称ジアルキルｑｕａｔ化合物を含まない又は本質的に含まない、分配することと、処理された槽溶液に布地を接触させることと、を含むすすぎプロセスを通して布地を柔軟化する方法に関する。
【発明を実施するための形態】
【００１０】
本発明は、従来のカチオン性ｑｕａｔに伴う非水溶性凝集塊形成問題なしに、十分な柔軟化、静電気防止、抗微生物効果を提供する洗濯処理組成物を提供する。重要なことに、本発明の非対称ジヒドロカルビル第四級アンモニウム化合物（以降、「非対称ジヒドロカルビルｑｕａｔ」）は種々の濃度におけるアニオン性界面活性剤の存在下で可溶性であることが見出された。
【００１１】
重要なことに、本洗濯処理組成物は、様々な洗濯処理用途での使用（すなわち、ＳＴＷ又は従来のすすぎサイクル柔軟化）に好適であり、アニオン性界面活性剤の存在下で単区画又は多区画一回用量で使用することができる。本発明に従う洗濯処理組成物は、対称ジアルキルｑｕａｔなどの従来のカチオン性ｑｕａｔに伴う非水溶性凝集塊を形成する傾向を有さないことが判明した。更に、本非対称ジヒドロカルビルｑｕａｔは、モノアルキルｑｕａｔと比較して、柔軟化及び抗静電気効果の向上を提供することが判明した。
【００１２】
理論に束縛されるものではないが、イオン対は、カチオン性界面活性剤がアニオン性界面活性剤の存在下にあるときに形成されると考えられる。洗濯用途に使用される従来のカチオン性ｑｕａｔは、典型的には、約１２〜１８個の炭素原子の対称アルキル鎖を有し、非常に不溶性のイオン対錯体を特に形成しやすいと考えられる。対称ジアルキルｑｕａｔと異なり、本発明の非対称ジヒドロカルビルｑｕａｔは、アニオン性界面活性剤の存在下にあるときに非常に不溶性の錯体を形成するのを回避する。理論に束縛されるものでないが、この現象は、部分的には、非対称ジヒドロカルビル鎖がイオン対の結晶化を阻害し、イオン対をより可溶にし、凝集塊又は相分離をより形成しにくくすることに起因すると考えられる。ｑｕａｔの所望の溶解度は、本明細書に記載されるように、ＣｌｏｇＰにより示すことができる。
【００１３】
一実施形態では、洗濯処理組成物は、液体又はゲル形態である。別の実施形態では、洗濯処理組成物は、ペースト、半固体、懸濁液、粉末又はこれらの任意の混合物の形態である。
【００１４】
用語の定義：
本明細書で定義するとき、「ヒドロカルビル鎖」は、炭化水素から誘導される任意の一価ラジカルである飽和及び不飽和ヒドロカルビル鎖を含む。当業者であれば、ヒドロカルビル鎖は、例えば、１個の炭素〜２２個の炭素といった、種々の炭素長のアルキル及びアルケニル鎖を含むことを理解するであろう。
【００１５】
本明細書で定義するとき、「非対称ジヒドロカルビル第四級アンモニウム化合物」又は「非対称ジヒドロカルビルｑｕａｔ」は、一方のヒドロカルビル鎖が他方のヒドロカルビル鎖よりも少なくとも２個の炭素分長いジヒドロカルビルｑｕａｔである。逆に、「対称ジアルキルｑｕａｔ」は、両方のアルキル鎖が同一数の炭素原子を有するか又は２個未満の炭素原子の差であるジアルキルｑｕａｔである。
【００１６】
本明細書で定義するとき、用語「ＣｌｏｇＰ」は、計算されたオクタノール／水分配係数（Ｐ）についての底１０の対数を意味する。組成物のオクタノール／水分配係数は、オクタノール及び水の平衡濃度間の比率である。この尺度が非極性溶媒（オクタノール）中の組成物の平衡濃度と極性溶媒（水）中の組成物の濃度との比率であるとすれば、ＣｌｏｇＰはまた、材料の疎水性の尺度でもあり、ＣｌｏｇＰが高いほど、材料はより疎水性である。ＣｌｏｇＰ値は、Ｄａｙｌｉｇｈｔ  Ｃｈｅｍｉｃａｌ  Ｉｎｆｏｒｍａｔｉｏｎ  Ｓｙｓｔｅｍｓ  Ｉｎｃ．（Ｉｒｖｉｎｅ  Ｃａｌｉｆ．，ＵＳＡ）から入手可能である「ＣＬＯＧＰ」という名称のプログラムから容易に計算することができる。オクタノール／水分配係数は、米国特許第５，５７８，５６３号に記載されている。
【００１７】
本明細書で定義するとき、「ある成分を本質的に含まない」は、その成分が組成物中にいかなる量も意図的に組み込まれていないことを意味する。
【００１８】
本明細書で定義するとき、「均質」は、視認可能な相分離が本明細書で定義されるような貯蔵保存試験下で全く観察されないこと、及び／又は、凝集塊が本明細書で定義されるような凝集塊形成試験下で実質的に全く観察されないことを意味する。
【００１９】
本明細書で定義するとき、「一回用量」（“unit dose” or “unitized dose”）は、１回の装填量の洗濯物を処理するのに好適な洗濯処理組成物の量、例えば、約０．０５グラム〜約１００グラム、好ましくは１０グラム〜約６０グラム、好ましくは約２０グラム〜約４０グラム、を意味する。
【００２０】
本明細書で定義するとき、「可溶性」は、非対称ジヒドロカルビル第四級アンモニウム化合物が、約１重量％〜約９０重量％のアニオン性界面活性剤を含有する液体組成物中に存在するときに、非凝集組成物を形成することを意味する。
【００２１】
全ての測定は、特に指定しない限り、２５℃で行われる。
【００２２】
１．非対称ジヒドロカルビルｑｕａｔ
本発明の洗濯処理組成物は、少なくとも１つの非対称ジヒドロカルビルｑｕａｔを約１重量％〜約９０重量％を含む。一実施形態では、洗濯処理組成物は、上記少なくとも１つの非対称ジヒドロカルビルｑｕａｔを約５重量％〜約７５重量％、又は少なくとも約８重量％、又は少なくとも約１０重量％、又は少なくとも約１５重量％、又は少なくとも約３０重量％、又は少なくとも約５０重量％含む。
【００２３】
一実施形態では、非対称ジヒドロカルビルｑｕａｔは、式（１）の構造を有する。
【化２】
2011526318.tif 000004
式中、Ｒ１はＣ１２〜Ｃ２２ヒドロカルビル鎖を含み、Ｒ２はＣ６〜Ｃ１２ヒドロカルビル鎖を含み、Ｒ１はヒドロカルビル鎖中にＲ２よりも少なくとも２個多く炭素原子を有し、Ｒ３及びＲ４は各々Ｃ１〜Ｃ４ヒドロカルビル、Ｃ１〜Ｃ４ヒドロキシヒドロカルビル、ベンジル、−（Ｃ２Ｈ４Ｏ）ｘＨ（式中、ｘは約１〜約１０の値、あるいは約２〜約５の値を有する）及びこれらの混合物からなる群から選択され、Ｘ−はアニオンであり、好適なアニオンの例にはＢｒ−、Ｃｌ−、Ｉ−、ＯＳＯ３ＣＨ３−が挙げられる。一実施形態では、Ｒ３及びＲ４は各々Ｃ１〜Ｃ４ヒドロカルビル及びＣ１〜Ｃ４ヒドロキシヒドロカルビルからなる群から選択される。
【００２４】
一実施形態では、非対称ジヒドロカルビルｑｕａｔのＲ２は、約８個〜約１２個の炭素原子を有する分枝状ヒドロカルビルラジカルを含む。別の実施形態では、Ｒ２の分枝状ヒドロカルビルラジカルは、Ｒ２鎖に沿ってＣ１、Ｃ２又はＣ３位で分枝している、Ｃ１〜Ｃ４ヒドロカルビル及びＣ１〜Ｃ４ヒドロキシヒドロカルビルを含む。更に別の実施形態では、非対称ジヒドロカルビルｑｕａｔは、Ａｋｚｏ  Ｎｏｂｅｌ  Ｃｏ．から商品名Ａｒｑｕａｄ（登録商標）ＨＴＬ８−ＭＳの下で市販されている水素化タロー２−エチル−ヘキシル−アンモニウム化合物から本質的になる。一例は、以下のものである。
【化３】
2011526318.tif 000005
【００２５】
非対称ジヒドロカルビルｑｕａｔの例は、米国特許第４，５６９，８００号（Ｓｔａｎｌｅｙら）に開示されている。
【００２６】
一実施形態では、非対称ジヒドロカルビルｑｕａｔは、約４〜約９、あるいは約６〜約８のＣｌｏｇＰを有する。水素化タロー２−エチル−ヘキシル−アンモニウム化合物は、約７．５のＣｌｏｇＰを有することが知られている。
【００２７】
理論に束縛されるものではないが、本範囲のＣｌｏｇＰは、９を超えるＣｌｏｇＰよりも比較的水溶性が高く、４未満のＣｌｏｇＰよりも水溶性が低いと考えられる。４未満のＣｌｏｇＰは、下記のようにコアセルベートを形成するには水溶性が高過ぎる。本発明のＣｌｏｇＰ範囲は、好適な布地コンディショニング効果に所望される水溶性機能及びコアセルベート形成機能の両方を提供することが判明している。
【００２８】
カチオン性ｑｕａｔは、すすぎサイクルで添加されるときに、柔軟及び静電気特性に関して最も有効に働くと考えられている。この種の化合物の中でも、約４〜約９のＣｌｏｇＰを有するカチオン性ｑｕａｔは、洗浄及び／又はすすぎサイクルに添加されるときに、柔軟及び抗静電気効果を提供するのに、より有効であると考えられる。一実施形態では、本発明の非対称ジヒドロカルビルｑｕａｔは、約１０％低減又は約３０％低減又は最大５０％低減といった実質的に低減された濃度でも、対称ジアルキルｑｕａｔと同じ柔軟及び／又は抗静電気効果を提供する。ジヒドロカルビル鎖の非対称性は、Ｒ２鎖上の分枝又はＲ１鎖とＲ２鎖の非対称性の結果であり得、非対称ジヒドロカルビルｑｕａｔがアニオン性界面活性剤と相互作用してコアセルベート錯体を形成する能力に寄与すると考えられる。一実施形態では、コアセルベートは水溶性である。コアセルベート錯体の形成は、布地上への非対称ジヒドロカルビルｑｕａｔの付着を促進すると考えられる。
【００２９】
一実施形態では、アニオン性界面活性剤と非対称ジヒドロカルビルｑｕａｔの重量比は、約３：１〜約２０：１、あるいは約２：１〜約１０：１である。
【００３０】
一実施形態では、本発明は、１つ以上の対称ジアルキルｑｕａｔ、モノアルキルｑｕａｔ、アミドイミダゾリニウムｑｕａｔ及びこれらの組み合わせを含まない又は本質的に含まない。別の実施形態では、本発明は、本明細書に開示されている式（１）の構造を有さないあらゆるカチオン性界面活性剤を含まない又は本質的に含まない。
【００３１】
２．アニオン性界面活性剤
一実施形態では、本明細書の界面活性剤構成成分は、洗剤組成物の約１重量％〜約９０重量％、あるいは約５重量％〜約５０重量％、あるいは約１０重量％〜約４０重量％のアニオン性界面活性剤を含む。
【００３２】
一実施形態では、アニオン性界面活性剤は、Ｃ１１〜Ｃ１８アルキルベンゼンスルホネート界面活性剤、Ｃ１０〜Ｃ２０分枝鎖及びランダムアルキルサルフェート界面活性剤、１〜３０の平均アルコキシル化度を有するＣ１０〜Ｃ１８アルキルアルコキシサルフェート界面活性剤（ここで、アルコキシはＣ１〜Ｃ４鎖及びこれらの混合物を含む）、中鎖分枝状アルキルサルフェート界面活性剤、１〜３０の平均アルコキシル化度を有する中鎖分枝状アルキルアルコキシサルフェート界面活性剤（ここで、アルコキシはＣ１〜Ｃ４鎖及びこれらの混合物を含む）、１〜５の平均アルコキシル化度を有するＣ１０〜Ｃ１８アルキルアルコキシカルボキシレート、Ｃ１２〜Ｃ２０メチルエステルスルホネート界面活性剤、Ｃ１０〜Ｃ１８α−オレフィンスルホネート界面活性剤、Ｃ６〜Ｃ２０スルホスクシネート界面活性剤、並びに、これらの混合物を含む。
【００３３】
本明細書での使用に好適なアニオン性界面活性剤にはアルキルポリエトキシレートサルフェートが挙げられ、他の非石鹸アニオン性界面活性剤又はその混合物を含有してもよい。一実施形態では、アニオン性界面活性剤は、約６重量％未満のアルキルベンゼンスルホネートを含む。
【００３４】
有用なアニオン性界面活性剤には、水溶性塩、特に約１０個〜約２０個の炭素原子を含有するアルキル基及びスルホン酸又はスルホン酸エステル基を分子構造の中に有する有機イオウ反応生成物のアルカリ金属塩、アンモニウム塩及びアルキロールアンモニウム（例えば、モノエタノールアンモニウム又はトリエタノールアンモニウム）塩が挙げられる（用語「アルキル」には、アリール基のアルキル部分が含まれる）。合成界面活性剤のこの群の例は、アルキルサルフェート、特に例えばタロー又はココヤシ油のグリセリドの還元により製造される高級アルコール（Ｃ８〜１８の炭素原子）の硫酸化により得られるものである。
【００３５】
本明細書の他のアニオン性界面活性剤は、約８個〜約２４個（あるいは約１２個〜１８個）の炭素原子を含有するパラフィンスルホネート、アルキルグリセリルエーテルスルホネート、特にＣ８〜１８アルコールのエーテル（例えば、タロー及びココヤシ油から誘導されるもの）；１分子当たり約１単位〜約４単位のエチレンオキシドを含有し、アルキル基に約８個〜約１２個の炭素原子を含有するアルキルフェノールエチレンオキシドエーテルサルフェート、並びに、１分子当たり約１単位〜約４単位のエチレンオキシドを含有し、アルキル基に約１０個〜約２０個の炭素原子を含有するアルキルエチレンオキシドエーテルサルフェート、の水溶性塩である。
【００３６】
本明細書の他の有用なアニオン性界面活性剤には、脂肪酸基の中に約６個〜２０個の炭素原子を含有し、エステル基の中に約１個〜１０個の炭素原子を含有する、α−スルホン化脂肪酸のエステルの水溶性塩、アシル基の中に約２個〜９個の炭素原子を含有し、アルカン部分に約９個〜約２３個の炭素原子を含有する、２−アシルオキシ−アルカン−１−スルホン酸の水溶性塩；約１２個〜２４個の炭素原子を含有するオレフィンスルホネートの水溶性塩、並びに、アルキル基の中に約１個〜３個の炭素原子を含有し、アルカン部分に約８個〜２０個の炭素原子を含有する、β−アルキルオキシアルカンスルホネートが挙げられる。
【００３７】
アニオン性界面活性剤は、以下の式のアナルキルポリエトキシレートサルフェートを含むことができる。
【００３８】
ＲＯ（Ｃ２Ｈ４Ｏ）ｘＳＯ３−Ｍ＋
式中、Ｒは、約１０個〜約２２個の炭素原子を有する飽和又は不飽和のアルキル鎖であり、アルキル鎖の最も長い線状部分は、炭素原子数が平均して１５個以下であり、Ｍは、化合物を水溶性にするカチオンであり、特にアルカリ金属、アンモニウム又は置換アンモニウムカチオンであり、ｘは１〜約１５である。一実施形態では、本発明の界面活性剤構成成分は、アルキルポリエトキシレートサルフェートを界面活性剤構成成分の約６０重量％〜約１００重量％、あるいは少なくとも約７０％、あるいは少なくとも約８０％含む。
【００３９】
一実施形態では、アニオン性界面活性剤は、アルキルベンゼンスルホネートを低濃度、例えば、約６％未満、あるいは約３％未満、あるいは約２％未満含む。一実施形態では、洗濯処理組成物は、線状アルキルベンゼンスルホネート及び米国特許第５，４６６，３９４号第３段第５５〜６７行に記載のアルキルベンゼンスルホネートなどのあらゆるアルキルベンゼンスルホネートを含まない又は本質的に含まない。
【００４０】
本明細書で有用な好適である更なるアニオン性界面活性剤の非限定的例は、米国特許第４，２８５，８４１号（Ｂａｒｒａｔら）及び同第３，９１９，６７８号（Ｌａｕｇｈｌｉｎら）に開示されている。
【００４１】
一実施形態では、洗濯処理組成物は、非イオン性界面活性剤を更に含む。本発明の組成物は、組成物の最大約３０重量％、あるいは約０．０１重量％〜約２０重量％、あるいは約０．１重量％〜約１０重量％の非イオン性界面活性剤を含有することができる。一実施形態では、非イオン性界面活性剤は、エトキシル化非イオン性界面活性剤を含む。好適な非イオン性界面活性剤の例は、米国特許第４，２８５，８４１号（Ｂａｒｒａｔら）及び同第４，２８４，５３２号（Ｌｅｉｋｈｉｍら）に提供されている。更に、本発明の洗濯処理組成物への非イオン性界面活性剤の添加は、洗剤製品に物理的安定性を提供する、すなわち、相分離及び沈殿を防止する、のに役立つと考えられる。これは、非対称ジヒドロカルビルｑｕａｔを約３０重量％超又は約５０重量％超又は約７０重量％超の濃度で、及び／あるいは、アニオン性界面活性剤を約３０重量％未満又は約１５重量％未満又は約５重量％未満の濃度で、含有する組成物について特に当て嵌まる。一実施形態では、洗濯処理組成物は、非イオン性界面活性剤を含まない又は本質的に含まない。
【００４２】
３．アニオン性界面活性剤の存在下での可溶性
重要なことに、非対称ジヒドロカルビルｑｕａｔはアニオン性界面活性剤の存在下で可溶であることが判明している。溶解度は、経時的に生じる相分離及び凝集塊形成の相対％により測定できると考えられる。一実施形態では、洗濯処理組成物は、本明細書で定義されるような貯蔵保存試験下で１０％未満の相分離、又は５％未満又は１％未満又は０％の層分離を有する。本発明の一実施形態は、槽溶液が凝集塊を含まない又は実質的に含まないように、本洗濯処理組成物の使用が洗浄及び／又はすすぎ槽溶液中で布地を柔軟化すること提供する。
【００４３】
貯蔵保存試験：４週間にわたって、４，４℃（４０°Ｆ）、２１．１℃（７０°Ｆ）及び３７．８℃（１００°Ｆ）で、製品を蓋つきプラスチック容器内に保存する。０．１８Ｌ（６ｏｚ）のサイズの容器を使用して、この試験を実行する。１、５及び２４時間の間隔で、あらゆる相分離について目視観測により相安定性を査定する。試験期間（合計４週間）中のいずれかの時間にサンプルが可視層の中に分離されたならば、これらは高さを測定し、合計サンプル高さのパーセントとして算出する。試験の開始時及び試験間隔に合計サンプル高さの目視測定値からの体積％として、相分離の％を計算する。「相分離がない」は、上相が全く観察されないことを意味する。
【００４４】
凝集塊形成試験：ドデシルベンゼンスルホン酸のナトリウム塩（工業銘柄、カタログナンバー２８，９９５〜７でＡｌｄｒｉｃｈにより供給される）の約０．０２％溶液（２０℃〜２５℃で硬度０．２６ｇ毎リットル（１２米国ｇ／ｇ）の水を使用）７５０グラムを１リットル円筒型広口瓶（直径：高さの比がおよそ５：８）に加える。広口瓶を密閉し、１５秒間にわたって強く振盪して、溶液の上に約３ｃｍの泡を生じさせる。
【００４５】
これに続き、試験される組成物５グラムを、泡立った溶液の表面に注ぐ。次に、ビーカー中の溶液を３０秒間にわたって１００ｒｐｍの速度で手動で攪拌する（２０ｃｍ長、０．５ｃｍのプラスチック製スパチュラを使用）。攪拌から１分後に、溶液を、回収皿に配置された米国標準試験ふるい（ＡＳＴＭ  Ｅ１１規格第４０号、Ｔｙｌｅｒ  ３５メッシュ相当品、開口部４２５ミクロン、ふるい直径２０．３ｃｍ（８インチ））の表面上に、均一に注ぐ。この皿の寸法は、いったん７５０グラムの試験溶液全部を加えた後、ふるいのワイヤーが皿の中の液体表面より少なくとも１ｃｍ下にあるような寸法である。続いてふるいを手動で皿から持ち上げ（水平に保ちつつ）、泡の存在について検査する。試験溶液は、ふるいに残っている可視の泡の総数が５０未満である場合、泡を「実質的に含まない」と定義される。試験溶液は、残っている可視の泡の総数が１０未満である場合、泡を「全く含まない」と定義される。濾液を同じ形の１リットル広口瓶に回収する。
【００４６】
４．所望によるシリコーンポリマー
一実施形態では、洗濯処理組成物は、ポリアルキルシリコーン、アミノシリコーン、シロキサン、ポリジメチルシロキサン、エトキシル化シリコーンポリマー、プロポキシル化シリコーンポリマー、エトキシル化／プロポキシル化シリコーンポリマー及びこれらの混合物などのシリコーンポリマーを更に含む。一実施形態では、シリコーンポリマーはカチオン性であり、例えば、シリコーンポリマーはアミノ官能シリコーンポリマーである。
【００４７】
シリコーンポリマーは、布地に柔軟性及び滑らかさを提供するだけでなく、特に複数回の洗濯洗浄サイクル後に、布地に実質的な色外観効果を提供する。理論に束縛されるものではないが、シリコーンポリマーは、布地の摩擦を減少させることにより、自動洗濯機の洗浄サイクル又はすすぎサイクル中に、布地に耐磨耗効果を与える。本明細書での使用に好適なポリマーは、米国特許出願公開第２００６／０２１７２８８（Ａ１）号（Ｗａｈｌら）１１〜２７段に記載されている。
【００４８】
一実施形態では、洗濯処理組成物は、洗濯処理組成物の約５重量％〜約９０重量％、あるいは約８重量％〜約７０重量％、あるいは約９重量％〜約３０重量％、あるいは約１０重量％〜２５重量％、あるいは約１５重量％〜約２４重量％の上記シリコーンポリマーを含む濃縮組成物である。洗濯処理組成物が非濃縮組成物である場合、約２％〜約３０％、あるいは約３％〜約２０％、あるいは約４％〜約１０％の上記シリコーンポリマーを含む。
【００４９】
好適なシリコーンポリマーには、洗濯処理組成物中での使用に好適な任意の既知のシリコーン含有化合物が挙げられる。一実施形態では、シリコーンポリマーは、ポリジアルキルシリコーン、ポリジメチルシリコーン（すなわち、ポリジメチルシロキサン）又はこれらの誘導体の混合物である。別の実施形態では、シリコーンは、アミノ官能性シリコーン、アルキルオキシル化シリコーン、エトキシル化シリコーン、プロポキシル化シリコーン、エトキシル化／プロポキシル化シリコーン、四級シリコーン、又はこれらの組み合わせから選択される。他の有用なシリコーン物質としては次式の物質を挙げてよい。
【００５０】
ＨＯ［Ｓｉ（ＣＨ３）２−Ｏ］ｘ｛Ｓｉ（ＯＨ）［（ＣＨ２）３−ＮＨ−（ＣＨ２）２−ＮＨ２］Ｏ｝ｙＨ
式中、ｘ及びｙは、シリコーンのモル重量に依存する整数である。一実施形態では、シリコーンは、２５℃で約０．０００５ｍ２／秒（５００ｃＳｔ）〜約０．５ｍ２／秒（５００，０００ｃＳｔ）の粘度を有する（「アモジメチコン」としても知られている）。一実施形態では、シリコーンポリマーは、多数のアミン基を有し、例えば、約０．５ミリモル当量を超えるアミン基が使用される。一実施形態では、洗濯処理組成物は、シリコーンを含まない又は本質的に含まない。
【００５１】
５．所望による付着助剤
本発明の一実施形態では、洗濯処理組成物は、付着助剤を更に含む。一実施形態では、付着助剤はカチオン性ポリマーであり、これはアニオン性界面活性剤と相互作用してコアセルベートの一部を形成することができる。本明細書で定義するとき、所望による付着助剤は、組成物中に提供されるシリコーンポリマーを全く含まない。理論に束縛されるものではないが、コアセルベートは洗浄中に非対称ジヒドロカルビルｑｕａｔとシリコーンなどの他の布地有益剤との小さな液滴を掃過し、布地表面にこれらを付着させるのを助けると考えられる。例えば、コアセルベートとしてのカチオン性グアーガム及びアニオン性界面活性剤の使用は、本発明のＳＴＷ組成物から布地上に付着する非対称ジヒドロカルビルｑｕａｔ及び／又はシリコーンポリマーの付着効率を有効に高めることができる。コアセルベートはまた、すすぎサイクル中に非対称ジヒドロカルビルｑｕａｔ又はシリコーンポリマーが布地からすすぎ落とされてしまうのを防止するのを助けることができる。
【００５２】
本明細書の洗濯処理組成物は、約０．００１％〜約１０％、あるいは約０．０１％〜約５％、あるいは約０．１％〜約２％の付着助剤を含有する。一実施形態では、付着助剤は、約５００〜約５，０００，０００、あるいは約１，０００〜約２，０００，０００、あるいは約１，０００〜約１，０００，０００、あるいは約２，０００〜約５００，０００の分子量を有する。別の実施形態では、付着助剤は、少なくとも約０．０１ｍｅｑ／ｇｍ．、あるいは最大約２３ｍｅｑ／ｇｍ．、あるいは約０．０５〜約８ｍｅｑ／ｇｍ．、あるいは約０．０８〜約７ｍｅｑ／ｇｍ．、あるいは更には約０．１〜約１ｍｅｑ／ｇｍ．の電荷密度を有する。
【００５３】
好適な付着助剤には、アミン塩、第四級アンモニウム塩、天然ポリマー（いくつかの多糖類、ガム、デンプンなど）の誘導体及び特定のカチオン性合成ポリマー（カチオン性ビニルピリジン又はビニルピリジニウムハロゲン化物の、ポリマー又はコポリマー）が挙げられる。一実施形態では、ポリマーは水溶性であり、例えば、２０℃で少なくとも０．５重量％程度まで水に可溶性である。別の実施形態では、ポリマーは、約５００〜約５，０００，０００、又は約１，０００〜約２，０００，０００、又は約１，０００〜約１，０００，０００、又は約２，０００〜約５００，０００、又は約２０００〜約１００，０００の分子量（ダルトン）を有する。一実施形態では、カチオン性ポリマーは、少なくとも約０．０１ｍｅｑ／ｇｍ．、あるいは約０．０５〜約８ｍｅｑ／ｇｍ．、あるいは約０．０８〜約７ｍｅｑ／ｇｍ．、又は約０．１〜約１ｍｅｑ／ｇｍ．の電荷密度を有する。
【００５４】
一実施形態では、付着助剤は、キサンタンガム、ガティガム、タマリンドガム、アラビアガム及び寒天、カチオン性グアーガム、並びにグアー及びイナゴマメガムなどのガラクトマンナンガムなどの多糖ガムを含む。別の実施形態では、付着助剤は、カチオン性多糖又はデンプン及びこれらの誘導体を含む。好適なカチオン性デンプンには、トウモロコシ、小麦、大麦などから、及びジャガイモ、タピオカなどのような根菜、並びにデキストリン、特にブリティッシュガム及び白色デキストリンのような焙焼デキストリン（pyrodextrins）から得られるもののような天然デンプンが挙げられる。カチオン性デンプンは、米国特許出願公開第２００４／０２０４３３７（Ａ１）号に記載されている。
【００５５】
付着助剤として使用に好適なカチオン性ポリマーは、米国特許第６，４９２，３２２号第６段第６５行〜第２４段第２４行、米国特許出願公開第２００３／０１３９３１２（Ａ１）号３１７〜４７及び同第２００６／０２１７２８８（Ａ１）号（Ｗａｈｌら）６１〜８４、部分表題「Ｃａｔｉｏｎｉｃ  Ｐｏｌｙｍｅｒｓ」、並びに、ＣＴＦＡ「Ｉｎｔｅｒｎａｔｉｏｎａｌ  Ｃｏｓｍｅｔｉｃ  Ｉｎｇｒｅｄｉｅｎｔ  Ｄｉｃｔｉｏｎａｒｙ  ａｎｄ  Ｈａｎｄｂｏｏｋ」Ｔｅｎｔｈ  Ｅｄｉｔｉｏｎ，Ｔａｒａ  Ｅ．Ｇｏｔｔｓｃｈａｌｃｋ  ａｎｄ  Ｇｅｒａｌｄ  Ｎ．  ＭｃＥｗｅｎ，Ｊｒ．，ｅｄｉｔｏｒｓ，ｐｕｂｌｉｓｈｅｄ  ｂｙ  Ｔｈｅ  Ｃｏｓｍｅｔｉｃ，Ｔｏｉｌｅｔｒｙ，ａｎｄ  Ｆｒａｇｒａｎｃｅ  Ａｓｓｏｃｉａｔｉｏｎ，２００４に詳細に開示されている。一実施形態では、洗濯処理組成物は、付着助剤を含まない又は本質的に含まない。
【００５６】
６．コアセルベート
一実施形態では、コアセルベートは、非対称ジヒドロカルビルｑｕａｔとアニオン性界面活性剤から形成される。別の実施形態では、コアセルベートの一部が、上記所望による付着助剤から形成される。より複合的なコアセルベートがまた、洗濯処理組成物中の他の帯電物質、すなわち、アニオン性、カチオン性、双極性及び／若しくは両性の界面活性剤又はポリマー、又はこれらの混合物と共に形成することができる。非対称ジヒドロカルビルｑｕａｔが洗浄プロセスからのアニオン性界面活性剤残留物と接触するようになる洗浄及び／又はすすぎの間に組成物中で又はその場でコアセルベートの形成され、布地上に非対称ジヒドロカルビルｑｕａｔが送達及び付着されるのを助けると考えられる。
【００５７】
一実施形態では、洗濯処理組成物は、約０．０１重量％〜約２０重量％、あるいは約０．１重量％〜約１０重量％、あるいは約０．５重量％〜約２重量％のコアセルベートを含む。これらの百分率は、非対称ジヒドロカルビルｑｕａｔ、付着助剤又はこれらの組み合わせとアニオン性界面活性剤とから形成されるコアセルベートの部分のみを計上する。この百分率は、コアセルベートに関連し得る又は関連し得ないどの水も計上しない。本発明の組成物中のこのような比較的少量のコアセルベートが、洗濯処理活性物質への効果的な付着にこのような比較的大きな増加を提供できるのは驚くべきことである。
【００５８】
本発明の洗濯処理組成物は、一実施形態では、コアセルベート相の形成を伴う。語句「コアセルベート相」は、Ｌ．Ｐｉｃｕｌｅｌｌ  ＆  Ｂ．Ｌｉｎｄｍａｎ，Ａｄｖ．Ｃｏｌｌｏｉｄ  Ｉｎｔｅｒｆａｃｅ  Ｓｃｉ．，４１（１９９２）及びＢ．Ｊｏｎｓｓｏｎ，Ｂ．Ｌｉｎｄｍａｎ，Ｋ．Ｈｏｌｍｂｅｒｇ，＆  Ｂ．Ｋｒｏｎｂｅｒｂ「Ｓｕｒｆａｃｔａｎｔｓ  ａｎｄ  Ｐｏｌｙｍｅｒｓ  Ｉｎ  Ａｑｕｅｏｕｓ  Ｓｏｌｕｔｉｏｎ」，Ｊｏｈｎ  Ｗｉｌｅｙ  ＆  Ｓｏｎｓ，１９９８に開示されるような洗濯処理技術において当業者に既知の全種類の分離されたポリマー相を含む最も広い意味で本明細書で使用される。コアセルベーションのメカニズム及びその全ての具体的な形態は、Ｃ．Ｊ．ｖａｎ  Ｏｓｓ，Ｍａｒｃｅｌ  Ｄｅｋｋｅｒ「Ｉｎｔｅｒｆａｃｉａｌ  Ｆｏｒｃｅｓ  ｉｎ  Ａｑｕｅｏｕｓ  Ｍｅｄｉａ」，１９９４，ｐ．２４５〜２７１に、記載されている。「コアセルベート相」とういう語句はまたしばしば「複合コアセルベート相」又は「結合相分離」として文献に参照されることを、当業者は容易に理解するであろう。
【００５９】
コアセルベート層が形成される場合、非対称ジヒドロカルビルｑｕａｔ及び／又は所望による付着助剤の濃度は、コアセルベート相の約２０重量％〜約８０重量％、あるいは約３０重量％〜約８０重量％の範囲であり得るが、コアセルベート相に関連し得る任意の水は含まれておらず、残部はアニオン性界面活性剤である。非対称ジヒドロカルビルｑｕａｔ及び／又は所望による付着助剤は、アニオン性界面活性剤からの負電荷を中和すると考えられる。一実施形態では、組成物中に過剰な濃度のアニオン性界面活性剤が提供され、洗浄中に洗濯処理組成物を分散するのを助けることができる。一実施形態では、コアセルベートは、ジヒドロカルビルｑｕａｔ及び／又は付着助剤単独のＣｌｏｇＰ値未満のＣｌｏｇＰ値を有する。これは、コアセルベートを形成する個々の構成成分よりもコアセルベートが可溶性が低いとき、洗浄中のコアセルベート形成により、示される。
【００６０】
コアセルベートが形成されたか否かは当業者には容易に確認でき、コアセルベートの形成を分析するための技術は当該技術分野において既知である。例えば、希釈のいずれかの選択された段階における組成物の顕微鏡分析を、コアセルベート相が形成されたか否かを確認するために使用できる。このようなコアセルベート相は、組成物中の更なる分散相として確認可能である。コアセルベート相の確認に役立つように位相差及びノマルスキー（Nomarski）光学のような組織強化顕微鏡法を使用することができる。染料を使用することで、コアセルベート相をシャンプー組成物中に分散するその他の不溶性の相と区別するのを補助することができる。例えば、本明細書で記載するように「アニオン性赤色染料試験（Anionic Red Dye Test）」を使用してもよい。
【００６１】
アニオン性赤色染料コアセルベート同定試験：この手順は、洗濯処理組成物中のコアセルベートの存在について定性的同定を行うのに使用することができる。アニオン性ダイレクトレッドＮｏ．８０染料は、コアセルベートのカチオン性構成成分と一緒であることが好まれる。コアセルベートは、マトリックスの残りの部分とは異なる非晶質形状及び質感を有する。
【００６２】
手順：２５％活性ダイレクトレッドＮｏ．８０染料粉末（Ｓｉｇｍａ−Ａｌｄｒｉｃｈから）０．５ｇ及びＤＩ水１９．５ｇを組み合わせて０．６２５％の染料溶液とする。５滴の染料溶液を２５ｇの試験製品に加えて攪拌する。
【００６３】
評価：遠心分離：１０ｍＬの染色した製品を１５ｍＬ遠心管の中に定置し、１０，０００ｒｐｍで３０分間にわたって遠心分離にかけた（例えば、ＳＷ４０ＴｉローターでのＢｅｃｋｍａｎ  Ｕｌｔｉｍａ  Ｌ−７０Ｋ超遠心分離を使用）。コアセルベートが全く存在しない場合は、通常２つの層のみが存在することになる。上部のシリコーン層及び下部の水／溶媒層で、両方とも染料を含有する。コアセルベートが存在するなら、３つの分離した層が存在することになる。最上部の白っぽいシリコーン層、赤色に染色されたコアセルベートを含有する中間層、及び底部の水／溶媒層である。
【００６４】
顕微鏡下での評価：染色された製品のスライドガラスを調製し、顕微鏡下で評価する（例えば、Ｏｌｙｍｐｕｓ  ＢＨ２顕微鏡、２０Ｘ対物、標準光源）。コアセルベートが全く存在しないならば、ダイレクトレッドＮｏ．８０染料により均一に分散されたピンクの色相を有する球状のシリコーン液滴の外観を見ることができる。コアセルベートは、周りの媒質と比較して濃い赤色である非晶質又は糸状の小滴として見える。
【００６５】
希釈における評価：０．５ｇの染色された製品を容器の中に定置し、４９．５ｇのＤＩ水で１：１００の希釈比で希釈する。コアセルベートが全く存在しない場合、溶液は、全体にわたって均質な赤色を有し粒子がほとんど／全く見えない状態で均質に見える。コアセルベートは澄んだ水溶液中に漂う濃い赤色を有する小さな粒子として見える。
【００６６】
一実施形態では、コアセルベート相は、洗浄及び／又はすすぎプロセスへの導入に先立って形成され、例えば、仕上がった洗濯処理組成物として既にできている。コアセルベート相が構造化されたマトリックス中に懸濁されていることもまた好適である。一実施形態では、コアセルベート相はまた、洗濯処理適用中に、例えば、洗浄及び／又はすすぎサイクル中に、組成物を希釈液で希釈すると形成され得る。
【００６７】
別の実施形態では、洗濯処理組成物は、完全なコアセルベートを形成するには不十分な量のアニオン性界面活性剤を含有する。この場合、いくらかの又は全てのコアセルベートは、洗濯処理組成物と、使用される洗濯洗剤によって洗浄サイクルに送達される任意のアニオン性界面活性剤との、相互作用によって、洗浄サイクル中に形成される。この場合には、一部又は全てのコアセルベートは洗濯プロセスの洗浄サイクル中にその場で形成される。
【００６８】
７．香料
一実施形態では、洗濯処理組成物は、少なくとも約０．００１重量％、又は少なくとも約０．０１重量％、又は少なくとも約０．１重量％、約１０重量％まで、又は約５重量％まで、又は約３重量％までの濃度で香料を含む。一実施形態では、本発明の布地コンディショニング組成物の香料は、約２５０℃以上の沸点と約３．０以上のＣｌｏｇＰとを有する持続性香料成分を、又は、香料の少なくとも約２５重量％の濃度で、含む。好適な香料、香料成分及び香料キャリアは、米国特許第５，５００，１３８号、及び米国特許出願公開第２００２／００３５０５３（Ａ１）号に記載されている。別の実施形態では、香料は、香料マイクロカプセル及び／又は香料ナノカプセルを含む。好適な香料マイクロカプセル及びナノカプセルには、以下の文献に記載されているものが挙げられる：米国特許出願公開第２００３２１５４１７（Ａ１）号、同第２００３２１６４８８（Ａ１）号、同第２００３１５８３４４（Ａ１）号、同第２００３１６５６９２（Ａ１）号、同第２００４０７１７４２（Ａ１）号、同第２００４０７１７４６（Ａ１）号、同第２００４０７２７１９（Ａ１）号、同第２００４０７２７２０（Ａ１）号、欧州特許第１３９３７０６（Ａ１）号、米国特許出願公開第２００３２０３８２９（Ａ１）号、同第２００３１９５１３３（Ａ１）号、同第２００４０８７４７７（Ａ１）号、同第２００４０１０６５３６（Ａ１）号、米国特許第６６４５４７９号、同第６２００９４９号、同第４８８２２２０号、同第４９１７９２０号、同第４５１４４６１号、米国再発行特許第３２７１３号、米国特許第４２３４６２７号。
【００６９】
更に別の実施形態では、本発明の布地コンディショニング組成物は臭気抑制剤を含む。このような剤には、米国特許第５９４２２１７号：「Ｕｎｃｏｍｐｌｅｘｅｄ  ｃｙｃｌｏｄｅｘｔｒｉｎ  ｃｏｍｐｏｓｉｔｉｏｎｓ  ｆｏｒ  ｏｄｏｒ  ｃｏｎｔｒｏｌ」（１９９９年８月２４日付与）に記載のものが挙げられる。臭気抑制剤に適した他の剤には、以下に記載されているものが挙げられる。米国特許第５９６８４０４号、同第５９５５０９３号、同第６１０６７３８号、同第５９４２２１７号及び同第６０３３６７９号。
【００７０】
８．補助剤成分
ａ．増粘剤及び構造剤
本発明の組成物は構造剤又は構造化剤を含有してもよい。構造剤はまた、有用な液体ゲル製品形態を生ずるための粘度を構築することができる。この構成成分の好適な濃度は、洗濯処理組成物の約０重量％〜２０重量％、あるいは０．１重量％〜１０重量％、あるいは０．１重量％〜３重量％の範囲である。構造剤は本発明の組成物中でシリコーンポリマーを安定化し、それが凝固及び／又はクリーム状になるのを防ぐ働きをする。液体又はゲル形態洗濯処理組成物の場合のように、本発明の組成物が流体形態を有するとき、このことは特に重要である。
【００７１】
本明細書での使用に好適な構造剤には、増粘安定剤が挙げられる。これらには、ガム及び他の同様な多糖類、例えば、ジェランガム、カラギーナンガム、キサンタンガム、ジウタンガム（ＣＰ  Ｋｅｌｃｏから）及び他の既知のタイプの増粘剤及びレオロジー添加剤、例えば、Ｒｈｅｏｖｉｓ  ＣＤＰ（Ｃｉｂａ  Ｓｐｅｃｉａｌｔｙ  Ｃｈｅｍｉｃａｌｓから）、Ａｌｃｏｇｕｍ  Ｌ−５２０（Ａｌｃｏ  Ｃｈｅｍｉｃａｌから）及びＳｅｐｉｇｅｌ  ３０５（ＳＥＰＰＩＣから）が挙げられる。好適な構造剤は、米国特許出願公開第２００６／０２１７２８８号（Ｗａｈｌら）に記載されている。
【００７２】
ｂ．追加的構成成分
本発明の洗濯処理組成物は、洗濯洗剤及び／又は柔軟剤組成物に典型的に含まれる１つ以上の任意成分を含んでもよい。更に別の一実施形態では、組成物は１つ以上の任意成分を含まないか又は実質的に含まない。典型的な任意成分には、脂肪酸、粘土、着色剤、色相染料、光沢剤、流動助剤、抗菌剤、漂白剤、キレート剤、重金属イオン封鎖剤、ビルダー、電解質、臭気抑制剤、形状保持ポリマー、抗摩擦剤、染料固着剤、移染防止剤、抗しわ剤などが挙げられるが、これらに限定されない。好適な任意成分の非限定例は、米国特許第６，９５８，３１３号（Ｃａｓｗｅｌｌら）及び米国特許出願公開第２００６／０２１７２８８号に提供されている。
【００７３】
９．単位投与
本発明の一態様は、水溶性フィルムと本発明に従う一回用量の洗濯処理組成物とを含む物品を提供し、ここで、洗濯処理組成物は、約１重量％〜約９０重量％の非対称ジヒドロカルビルｑｕａｔを含み、上記洗濯処理組成物は上記水溶性フィルムにより封入される。
【００７４】
本発明の単位容量の洗濯処理組成物は、約６４Ｌ〜約７５Ｌの用量の水を有する典型的な自動洗濯機槽内の水槽に添加され、単位容量は、活性物質（すなわち、非対称ジヒドロカルビルｑｕａｔ及び／又はシリコーンポリマー）のミリグラムを水槽内の水のグラムで割り算することにより計算されるｐｐｍ濃度を形成する。例えば、洗濯処理組成物は５０グラム単位容量であり、上記洗濯処理組成物は５０％の非対称ジヒドロカルビルｑｕａｔを含み、非対称ジヒドロカルビルｑｕａｔの濃度は約３３０ｐｐｍ〜約４００ｐｐｍである。一実施形態では、非対称ジヒドロカルビルｑｕａｔの濃度は、約１０ｐｐｍ〜約１４００ｐｐｐ、あるいは約５０ｐｐｍ〜約３００ｐｐｍ、あるいは約１００ｐｐｍ〜約２００ｐｐｍである。
【００７５】
本発明の洗濯処理組成物は、洗濯プロセスの洗浄溶液中に添加される場合、コアセルベートと結合してもよいし、結合しなくてもよい任意の水を含めに少なくとも１ｐｐｍ、又は少なくとも約３ｐｐｍ、又は約４ｐｐｍ〜約５０ｐｐｍのコアセルベートの濃度を洗浄溶液中に提供する。コアセルベートのこれらの濃度は顕著な柔軟効果を与えるのに有効な濃度を提供するために好適である。より高いコアセルベート濃度は更なる柔軟性を提供し得るが、洗濯洗浄プロセスにおいて洗浄及び／又は白色維持への負の影響を生じ、並びに不必要なコストを生ずる可能性もある。洗濯プロセスの典型的な洗浄溶液は約６４リットルの体積を有する。
【００７６】
一実施形態では、水溶性フィルムは、単区画パウチを形成する。物品が単区画パウチの形態である場合、洗濯処理組成物は、所望により、約１重量％〜約９０重量％のアニオン性界面活性剤を更に含むことができる。
【００７７】
別の実施形態では、水溶性フィルムは、多区画パウチを形成する。多区画パウチを含む一実施形態では、多区画パウチは、上記非対称ジヒドロカルビルｑｕａｔを含む上記洗濯処理組成物を含有する第一区画と、アニオン性界面活性剤を含有する第二区画と、を含む。別の実施形態では、第一区画は非対称ジヒドロカルビルｑｕａｔとアニオン性界面活性剤とを含有し、一方、第二区画は対称ジアルキル第四級アンモニウム化合物又は当該技術分野において既知の任意の他の従来の柔軟剤活性物質を含有する。
【００７８】
ａ．水溶性フィルム
一実施形態では、洗濯処理組成物は、フィルム物品に含有される。フィルムは、好適に水溶性であり、すなわち、ポリビニルアルコール、ヒドロキシプロピルメチルセルロース、メチルセルロース、不織ポリビニルアルコール、ＰＶＰ及びゼラチン又は混合物から作製され、洗濯処理組成物を封入するために使用される。ポリビニルアルコールフィルムは、多くの供給元、すなわち、ＭｏｎｏＳｏｌ  ＬＬＣ（Ｇａｒｙ，ＩＮ）、日本合成化学工業（株）（NipponSynthetic Chemical Industry Co. Ltd.）（日本、大阪）、及びＲａｎｉｅｒ  Ｓｐｅｃｉａｌｔｙ  Ｃｈｅｍｉｃａｌｓ（Ｙａｋｉｍａ，ＷＡ）から市販されている。これらのフィルムは、約２０マイクロメートル〜約８０マイクロメートル、又は約２５マイクロメートル〜約７６マイクロメートル（冷水洗浄での急速な溶解に特に好適である）の範囲の様々な厚さで使用され得る。より大きな体積、すなわち、約２５ｍＬを超える体積、の組成物が使用される場合、より厚いフィルムが使用され得る。更に、フィルムが印刷可能で着色されることが好適である。
【００７９】
パウチ、ピロウ、サッシェ、ビーズ、又はエンベロープのような物品は、複数のシートを、洗濯処理組成物を挿入するための開口部を残してその縁部で共にヒートシールすることにより製造される。一回用量物品を形成するのに好適なプロセスの例は、米国特許第６，２８１，１８３（Ｂ１）号、欧州特許第１１２６０７０号、国際公開第０１８３６６８号、同第０１８３６６９号、同第０１８５８９８号、同第０１８３６６１号、同第０１８３６５７号、同第０１８３６６７号、同第０１８５８９２号、同第００２０８３８０号、同第０２１２４３２号、同第０２２０３６１号、同第０２４０３５１号、同第００１８３６５８号、同第０２４０３７０号、同第０１６０９６６号、同第０２０６０７５８号、同第０２０６０９８０号、同第０２０７４８９３号、同第０２０５７４０２号、同第０３００８５１３号、同第０３００８４８６号、同第０３０３１２６６号、同第０３０４５８１２号、同第０３０４５８１３号、同第０２０６０７５７号、欧州特許第１３５４９３９号、欧州特許第１３７５３５１号、欧州特許第１３９６４４０号、欧州特許第１４３１３８３号、欧州特許第１４３１３８４号、欧州特許第１３４０６９２号、国際公開第０４０８５５８６号及び同第９７／３５５３７号に見出すことができる。
【００８０】
フィルム、例えばＰＶＯＨを有する一回用量品の製造では、液体組成物のパウチ中に気泡を残すことが有用である。気泡は、例えば真空によって、パウチが形成されているときに、液体組成物をパウチ中にわずかに少なめに充填することによって形成される。このことは、例えば液体組成物を保持している第一のフィルム上に第二のフィルムを載せるときに、液体組成物がフィルムのシール領域に接触するのを防ぐのに役立つ。気泡は、約０．１ｍＬ〜約１０ｍＬ、あるいは約０．５ｍＬ〜約５ｍＬの体積である。気泡はまた、充填されたパウチが液体組成物を実際に含有しているということの消費者に対する良好な審美的視覚信号である。視覚信号として、気泡は、直径約１ｍｍ〜約２０ｍｍ、あるいは約３ｍｍ〜約１０ｍｍであるべきである。
【００８１】
フィルム物品は単区画又は多区画パウチであることができる。二区画物品、例えばＰＶＯＨフィルムで作製された二区画一回用量品は、同じ又は２つの異なる形態、例えば液体／粉末パウチ、液体／液体パウチ、及びゲル／粉末パウチからなることができる。一実施形態では、物品は、非対称ジヒドロカルビルｑｕａｔ及びアニオン性界面活性剤が両方ともその中に含有されている単区画パウチである。別の実施形態では、物品が多区画パウチである場合、非対称ジヒドロカルビルｑｕａｔ及びアニオン性界面活性剤は別個の区画の中にあることができる。更に別の実施形態では、物品は、アニオン性界面活性剤を含有しない区画内に収容された対称ジアルキルｑｕａｔを更に含む。
【００８２】
ｂ．可塑剤
フィルム、特にポリビニルアルコールのような高水溶性フィルムによって包み込まれる又は封入されるように意図された組成物に関しては、洗濯処理組成物中にフィルム中に見出されるのと同じ又は類似の可塑剤を組み込むことが望ましい。このことは、フィルムの可塑剤の柔軟剤組成物中への移行を減少又は防止するのに役立つ。フィルムからの可塑剤の損失は、物品が経時的に脆くなり及び／又は機械的強度を失う原因となる可能性がある。高度に濃縮された柔軟仕上げ剤組成物中に包含されるための典型的な可塑剤は、グリセリン、ソルビトール、１，２プロパンジオール、ポリエチレングリコール（ＰＥＧ）、並びに他のジオール及びグリコール及び混合物である。組成物は少なくとも約０．１％、又は少なくとも約１％、又は少なくとも約５％〜約７０％の可塑剤、又は可塑剤の混合物を含有すべきである。
【００８３】
ｃ．水分含有量
一実施形態では、水溶性フィルムが洗濯処理組成物を封入する場合、高度に濃縮された洗濯処理組成物の水の濃度は、組成物の約０重量％〜約１５重量％、あるいは約１３重量％未満、あるいは約１０重量％未満、あるいは約５重量％未満、あるいは更には約ゼロ、あるいは約１重量％〜約１５重量％の水である。概して、例えば、水溶性フィルムの剛性を防止するために約８％〜約１２％といった、いくらかの水が有用である。しかしながら、より高い水濃度は、本発明の上記組成物を封入するために使用される水溶性フィルムが製造プロセス中、輸送／取扱い中、又は貯蔵時のいずれかに漏出し、又は時期尚早に溶解若しくは崩壊を始める原因となる可能性がある。低濃度の水が、水溶性染料を組成物に添加して色を魅力的にし、異なる香料及び／又は布地ケア有益剤を添加された組成物間を識別し、ポリマー及び／又は構造剤を効果的に水和するための媒体として望ましいものであり得ることが判明している。
【００８４】
別の実施形態では、洗濯処理組成物中の水の濃度は、比較的高く、例えば、少なくとも約５０％、又は少なくとも約６０％、又は少なくとも約７０％の水である。これらは一般に、単区画プラスチックボトル若しくは容器中、又は別の布地ケア組成物、例えば液体洗剤若しくは漂白剤と組み合わされた二区画で二つの注ぎ口を有するプラスチックボトル若しくは容器中に包装される場合である。
【００８５】
ａ．溶媒
溶媒は、本発明の洗濯処理組成物を流動化するために有用であり、良好な分散性を提供する場合があり、一部の実施形態では、澄んだ又は半透明の組成物を提供する。本発明の好適な溶媒は、水溶性又は非水溶性であることができる。一実施形態では、洗濯処理組成物は、約３０重量％〜約７０重量％、あるいは約４５重量％〜約６０重量％の溶媒を更に含む。一実施形態では、溶媒は、ポリエチレングリコール、グリセリン、プロピレングリコール及びこれらの混合物を含む。洗濯処理組成物は水溶性フィルムに封入され、より高濃度の溶媒がより低い水濃度で好適であると考えられている。
【００８６】
溶媒の追加的な非限定例には、エタノール、プロパノール、イソプロパノール、ｎ−プロパノール、ｎ−ブタノール、ｔ−ブタノール、プロピレングリコール、１，３−プロパンジオール、エチレングリコール、ジエチレングリコール、ジプロピレングリコール、１，２，３−プロパントリオール（グリセロール）、プロピレンカーボネート、フェニルエチルアルコール、２−メチル１，３−プロパンジオール、ヘキシレングリコール、ソルビトール、ポリエチレングリコール、１，２−ヘキサンジオール、１，２−ペンタンジオール、１，２−ブタンジオール、１，４ブタンジオール、１，４−シクロヘキサンジメタノール、ピナコール、１，５−ヘキサンジオール、１，６−ヘキサンジオール、２，４−ジメチル−２，４−ペンタンジオール、２，２，４−トリメチル−１，３−ペンタンジオール（及びエトキシレート）、２−エチル−１，３−ヘキサンジオール、フェノキシエタノール（及びエトキシレート）、グリコールエーテル、例えばブチルカルビトール及びジプロピレングリコールｎ−ブチルエーテル、エステル溶媒、例えばアジピン酸、グルタル酸、及びコハク酸のジメチルエステル、炭化水素、例えば、デカン及びドデカン、グリセリンカーボネート、並びにこれらの混合物又は組み合わせが挙げられる。一実施形態では、組成物は１つ以上の上述の溶媒を含まないか又は実質的に含まない。追加的な好適溶媒は、米国特許第６，９５８，３１３号（Ｃａｓｗｅｌｌら）及び米国特許出願公開第２００６／０２１７２８８号（Ｗａｈｌら）に開示されている。
【００８７】
１０．使用方法：
本洗濯処理組成物は、洗浄又はすすぎ中の柔軟化に好適であることが、重要なことに判明している。理論に束縛されるものではないが、典型的には洗浄サイクルが完了した後に洗濯プロセスの中に導入される従来の布地柔軟化組成物と異なり、本洗濯処理組成物は、洗濯プロセスのどのサイクルに本発明が導入されるかに関わらず、十分な柔軟化、静電気防止、抗菌及び他の布地処理効果を提供すると考えられる。
【００８８】
一実施形態では、本発明は、（ａ）洗浄槽溶液中に約１重量％〜約９０重量％の非対称ジヒドロカルビルｑｕａｔと所望により約１重量％〜約９０重量％のアニオン性界面活性剤組成物とを含む洗濯処理組成物を分配して、処理された槽溶液を形成することと、（ｂ）上記処理された洗浄槽溶液に布地を接触させることと、を含む洗浄プロセスを通して布地を柔軟化する方法を提供する。一実施形態では、上記非対称ジヒドロカルビルｑｕａｔの少なくとも一部が、アニオン性界面活性剤が１）上記一回用量の洗濯処理組成物それ自体から又は２）洗浄槽溶液からのいずれかで提供されるときに、コアセルベートを形成する。加えて、アニオン性界面活性剤は、布地それ自体から提供することができる。一実施形態では、ＳＴＷの方法は、分配工程（ａ）又は接触工程（ｂ）の後に槽溶液中でその場でコアセルベートを形成することを更に含む。更に別の実施形態では、洗浄を通して布地を柔軟化する方法で使用される洗濯処理組成物は、本明細書に開示されている実施形態のいずれかに従う。一実施形態では、洗濯処理組成物は、洗浄水が槽に添加される前に、洗浄槽に添加される。洗浄水及び洗剤などの任意の他の所望の洗濯組成物が添加されるとき、処理された洗浄槽溶液が形成される。洗剤は、水及び／若しくは本発明の洗濯処理組成物の前又は後に添加することができる。更に、布地は、洗浄槽の構成成分のいずれか若しくは処理された洗浄槽溶液の前、後又はこれと同時に添加することができる。
【００８９】
別の実施形態は、（ａ）すすぎ槽溶液中に約１重量％〜約９０重量％の非対称ジヒドロカルビルｑｕａｔを含む一回用量の洗濯処理組成物を分配して、処理されたすすぎ槽溶液を形成することであり、上記洗濯処理組成物がアミドイミダゾリニウム化合物を本質的に含まず、あるいは対称ジアルキル第四級アンモニウム化合物を含まない若しくは本質的に含まない、分配することと、（ｂ）処理されたすすぎ槽溶液に布地を接触させることと、を含むすすぎを通して布地を柔軟化する方法を提供する。一実施形態では、上記非対称ジヒドロカルビルｑｕａｔの少なくとも一部が、アニオン性界面活性剤が１）上記一回用量の洗濯処理組成物それ自体からか又は２）すすぎ槽溶液が形成されるときに洗浄層中に留まることができる布地若しくは残っている洗浄槽溶液からのアニオン性残留物としてか、のいずれかで提供されるときに、コアセルベートを形成する。一実施形態では、洗濯処理組成物は、すすぎ水が槽に添加される前に、すすぎ槽に添加される。すすぎ水、及び、香料又は他の所望の従来のすすぎ添加剤などの任意の他の所望の洗濯組成物が添加されるとき、処理されたすすぎ槽溶液は形成される。
【実施例】
【００９０】
実施例Ｉ〜ＩＶ：単区画液体一回用量パウチ、重量は約１０グラム。使用されるＰＶＯＨフィルムは、７６．２マイクロメートル（３ｍｉｌ）厚さのＭｏｎｏｓｏｌ  Ｍ８６３０である。
【表１】
2011526318.tif 000006
【表２】
2011526318.tif 000007
【００９１】
実施例Ｖ：二区画液体一回用量パウチ
【表３】
2011526318.tif 000008
【００９２】
実施例ＶＩ：二区画粉末／液体一回用量パウチ
【表４】
2011526318.tif 000009
【００９３】
本明細書全体にわたって記載されるあらゆる最大数値限定は、それより小さいあらゆる数値限定を、そのような小さい数値限定が本明細書に明示的に記載されたものとして包含すると理解されるべきである。本明細書全体にわたって記載されるあらゆる最小数値限定は、それより大きいあらゆる数値限定を、そのようなより大きい数値限定が本明細書に明示的に記載されているかのように含む。本明細書全体にわたって記載されるあらゆる数値範囲は、そのようなより広い数値範囲内にあるあらゆるより狭い数値範囲を、そのようなより狭い数値範囲が本明細書に全て明示的に記載されているかのように含む。
【００９４】
特に指定がない限り、本明細書の明細、実施例、及び請求の範囲における全ての割合、比率、及び百分率は重量基準であり、全ての数値限定は、当該技術分野により提供される通常の程度の精度で使用される。
【００９５】
本明細書に開示される寸法及び値は、列挙された正確な数値に厳しく制限されるものとして理解されるべきでない。それよりむしろ、特に指定されない限り、各こうした寸法は、列挙された値とその値周辺の機能的に同等の範囲の両方を意味することを意図する。例えば、「４０ｍｍ」として開示された寸法は、「約４０ｍｍ」を意味することを意図する。
【００９６】
特に指定のない限り、前置詞の「ａ」、「ａｎ」、及び「ｔｈｅ」は「１つ以上」を意味する。
【００９７】
「発明を実施するための形態」で引用した全ての文献は、関連部分において本明細書に参考として組み込まれるが、いずれの文献の引用も、それが本発明に関して先行技術であることを容認するものとして解釈されるべきではない。本書における用語の任意の意味又は定義が、参照として組み込まれた文献における同一の用語の任意の意味又は定義と相反する限りにおいて、本書においてその用語に与えられた意味又は定義が適用されるものとする。
【００９８】
本発明の特定の実施形態について説明し記載したが、本発明の趣旨及び範囲から逸脱することなく他の様々な変更及び修正が可能であることが当業者には自明である。したがって、本発明の範囲内にあるそのような全ての変更及び修正を、添付の「特許請求の範囲」で扱うものとする。
【国際調査報告】
2011526318.tif 000012
2011526318.tif 000013
2011526318.tif 000014